(57)【要約】【課題】送風機能に悪影響を与えることなく、安全性を確保しつつ、拡散物質又はイオンを放散することが可能なように構成された送風機を提供する。【解決手段】モータ３と、モータ３の出力軸３２に連結され、モータ３により回転駆動されるファン４と、ファン４をモータ３の出力軸３２に固定するファンナット５とを備える送風機１０において、モータ３の出力軸３２に設けられたファンナット５に拡散物質が保持してあり、出力軸３２に同心をなしてモータ本体３１にイオン発生器８が取付けてあるから、送風の邪魔にならず、送風機能に悪影響を与えることなく、拡散物質、プラスイオン及びマイナスイオンを放散することができる。拡散物質及びイオン発生器８がファンガード７の内側に設けてあるから、乳幼児等が触れることを防止することができ、安全性を確保することができる。【選択図】図２
2011001820.tif 000002
【特許請求の範囲】
【請求項１】
モータと、該モータの出力軸に連結され、前記モータにより回転駆動されるファンと、該ファンを前記モータの出力軸に固定する固定部材とを備える送風機において、
前記固定部材は、拡散物質を保持することが可能なように構成してあることを特徴とする送風機。
【請求項２】
前記固定部材は、前記拡散物質を内部に収納する収納室を有しており、前記固定部材には、前記収納室の内外を連通する連通孔が設けてあることを特徴とする請求項１に記載の送風機。
【請求項３】
前記収納室は筒状であることを特徴とする請求項２に記載の送風機。
【請求項４】
前記ファンは、前記出力軸に外嵌されるボス部と、該ボス部に設けられた羽根とを備えるプロペラファンであり、
前記固定部材は、前記ボス部に向けて突設され、該ボス部に当接する当接突起を有していることを特徴とする請求項１から３の何れか一つに記載の送風機。
【請求項５】
前記固定部材は、筒状をなし、軸長方向の一側に前記出力軸に係合する係合部が設けてあり、他側に前記収納室を開閉する蓋部が着脱可能に設けてあることを特徴とする請求項２から４の何れか一つに記載の送風機。
【請求項６】
モータと、該モータにより回転駆動されるファンと、該ファンを包囲して保護するファンガードと、プラスイオン及びマイナスイオンを発生するイオン発生器とを備える送風機であって、
前記イオン発生器は、前記ファンガードの内側の前記モータ及びファン間に設けてあることを特徴とする送風機。
【請求項７】
前記イオン発生器は、前記ファンガードを前記モータに固定する固定リングを兼ねていることを特徴とする請求項６に記載の送風機。
【請求項８】
前記イオン発生器は、その一部に雌螺子部を有する筐体を備えており、前記モータは、前記出力軸の側に該出力軸に同心をなして設けられ、その外周面に前記雌螺子部が係合する係合部を有する係合円筒を備えており、
前記イオン発生器及びモータ間に前記ファンガードを挟持するように構成してあることを特徴とする請求項７に記載の送風機。
【請求項９】
請求項１から５の何れか一つに記載の固定部材と、請求項６から８の何れか一つに記載のイオン発生器とを備えることを特徴とする送風機。
【発明の詳細な説明】
【技術分野】
【０００１】
本発明は、害虫防除剤等の拡散物質及び／又はイオンを放散することが可能なように構成された送風機に関する。
【背景技術】
【０００２】
従来、扇風機等の送風機において、所望の流量及び方向の風を送り出す送風機能に加えて、種々の機能が付加された送風機が提案されている（例えば、特許文献１，２参照）。
【０００３】
特許文献１に開示された送風機器は、マイナスイオンを発生させるマイナスイオン発生ユニットが添装してある。例えば、送風機器である持ち運びが容易な扇風機の送風羽根近傍の前方又は後方にマイナスイオン発生ユニットを設けることにより、手軽に涼風感を得ることができると共に、マイナスイオンによりリフレッシュ等の有益な生理学的効果を同時に得ることが可能となる。
【０００４】
特許文献２に開示された扇風機用揮散物質放散装置は、扇風機の送風気流を利用して内部に収納した害虫防除剤等の揮散物質を外部に放散可能なように構成してある。より詳細には、扇風機用揮散物質放散装置は、環状のリング体及び該リング体に移動自在に付き扇風機のファンガードに引っ掛かり可能となる掛止体を有する取付け具と、前記リング体が係合する係合部を有し、揮散物質を内部に収納する放散用容器とを備えてなる。この扇風機用揮散物質放散装置は、リング体を放散用容器の係合部に係合させると共に、掛止体を扇風機のファンガードに引っ掛けることにより、大きさが異なる扇風機に放散用容器を取付けることができる。そして、扇風機の送風に応じて放散用容器に収納した害虫防除剤等の揮散物質を生活空間に放散することにより、涼風感を得ることができると共に、蚊の駆除等を同時に行うことができる。
【先行技術文献】
【特許文献】
【０００５】
【特許文献１】特開平９−２４５９３５号公報
【特許文献２】特開２００７−３２３５１号公報
【発明の概要】
【発明が解決しようとする課題】
【０００６】
ところで、特許文献２に係る扇風機用揮散物質放散装置は、扇風機のファンガードの外側に取付けるように構成してあるから、有毒物質である害虫防除剤に乳幼児等が触れてしまう虞があり、安全性に問題があった。また、扇風機の前側である送風流路に拡散用容器を取付けた場合、扇風機の風量が減少すると共に、騒音が生じる等の問題があった。
【０００７】
そして、特許文献１に係る送風機器においては、マイナスイオンによりリフレッシュ等の有益な生理学的効果を得ることは可能であるが、鶏を介して広まりが懸念されている鳥インフルエンザウイルス等のウイルスについての対策はなされていなかった。また、マイナスイオン発生ユニットは正負の電極に高電圧を印加して放電を生ぜしめてマイナスイオンを発生させるものであるから、扇風機の外側に添装した場合、乳幼児等が触れてしまう虞があり、安全性に問題があった。
【０００８】
本発明は斯かる事情に鑑みてなされたものであり、送風機能に悪影響を与えることなく、安全性を確保しつつ、害虫防除剤等の拡散物質又はイオンを放散することが可能なように構成された送風機を提供することを目的とする。
【課題を解決するための手段】
【０００９】
本発明に係る送風機は、モータと、該モータの出力軸に連結され、前記モータにより回転駆動されるファンと、該ファンを前記モータの出力軸に固定する固定部材とを備える送風機において、前記固定部材は、拡散物質を保持することが可能なように構成してあることを特徴とする。
【００１０】
本発明にあっては、モータの出力軸にファンを固定する固定部材に拡散物質を保持することが可能なように構成してある。モータの出力軸に設けられた固定部材に拡散物質を保持しているから、ファンの回転に伴って生じる送風流路の邪魔にならず、送風機能に悪影響を与えることなく、害虫防除剤等の拡散物質を放散することができる。また、一般に、扇風機等の送風機のファン等の回転部分はファンガード等により包囲してあるから、拡散物質がファンガードの内側に設けられることになり、乳幼児等が触れることを防止することができ、安全性を確保することができる。
【００１１】
本発明に係る送風機は、前記固定部材は、前記拡散物質を内部に収納する収納室を有しており、前記固定部材には、前記収納室の内外を連通する連通孔が設けてあることを特徴とする。
【００１２】
本発明にあっては、固定部材は拡散物質を内部に収納する収納室を有しており、収納室の内外を連通する連通孔が固定部材に設けてある。収納室の内部に収納された拡散物質が固定部材に設けた連通孔から収納室の外部へ拡散して、ファンの回転に伴って生じる送風により室内へ放出される。固定部材の内部に拡散物質を収納しているから、乳幼児等が触れることをより確実に防止することができ、安全性を確保することができる。固定部材に収納室の内外を連通する連通孔を設けているから、害虫防除剤等の拡散物質を効率良く外部へ放散することができる。
【００１３】
本発明に係る送風機は、前記収納室は筒状であることを特徴とする。
【００１４】
本発明にあっては、収納室を筒状に形成しているから、筒状の内周壁及び外周壁に連通孔を適切に設けることにより、収納室に収納された拡散物質を更に効率良く外部へ放散することができる。
【００１５】
本発明に係る送風機は、前記ファンは、前記出力軸に外嵌されるボス部と、該ボス部に設けられた羽根とを備えるプロペラファンであり、前記固定部材は、前記ボス部に向けて突設され、該ボス部に当接する当接突起を有していることを特徴とする。
【００１６】
本発明にあっては、出力軸に外嵌されたファンのボス部の側に突設され、該ボス部に当接する当接突起が固定部材に設けてあるから、固定部材の収納室が当接突起の突設長さの分だけファンと離隔して設けられることになる。これにより、固定部材のモータの側からも拡散物質を外部へ放散し易くすることができ、拡散物質を更に効率良く外部へ放散することができる。
【００１７】
本発明に係る送風機は、前記固定部材は、筒状をなし、軸長方向の一側に前記出力軸に係合する係合部が設けてあり、他側に前記収納室を開閉する蓋部が着脱可能に設けてあることを特徴とする。
【００１８】
本発明にあっては、筒状をなす固定部材は、軸長方向の一側にて出力軸に係合して固定してあり、他側に収納室を開閉する蓋部が着脱可能に設けてある。出力軸との固定部の反対側に収納室を開閉する蓋部を設けてあるから、容易に拡散物質の取替を行うことができる。
【００１９】
本発明に係る送風機は、モータと、該モータにより回転駆動されるファンと、該ファンを包囲して保護するファンガードと、プラスイオン及びマイナスイオンを発生するイオン発生器とを備える送風機であって、前記イオン発生器は、前記ファンガードの内側の前記モータ及びファン間に設けてあることを特徴とする。
【００２０】
本発明にあっては、ファンを包囲して保護するファンガードの内側のモータ及び該モータにより回転駆動されるファン間にプラスイオン及びマイナスイオンを発生するイオン発生器が設けてある。高電圧が印加されるイオン発生器をファンガードの内側に設けてあるから、幼児等が触れることを防止することができ、安全性を確保することができる。また、モータとファンガードとの間にイオン発生器を設けているから、ファンの回転に伴って生じる送風流路の邪魔にならず、送風機能に悪影響をほとんど与えずに済む。そして、イオン発生器により発生させたプラスイオン及びマイナスイオンにより鳥インフルエンザウイルス等のウイルスを死滅又は不活性化することができる。
【００２１】
本発明に係る送風機は、前記イオン発生器は、前記ファンガードを前記モータに固定する固定リングを兼ねていることを特徴とする。
【００２２】
本発明にあっては、ファンガードをモータに固定する固定リングをイオン発生器が兼ねているから、送風機が大型化することを抑制しつつ前述した効果を得ることができる。
【００２３】
本発明に係る送風機は、前記イオン発生器は、その一部に雌螺子部を有する筐体を備えており、前記モータは、前記出力軸の側に該出力軸に同心をなして設けられ、その外周面に前記雌螺子部が係合する係合部を有する係合円筒を備えており、前記イオン発生器及びモータ間に前記ファンガードを挟持するように構成してあることを特徴とする。
【００２４】
本発明にあっては、イオン発生器の筐体の一部に雌螺子部を設け、モータに設けられた係合円筒の係合部を前記雌螺子部に係合することにより、前記イオン発生器及びモータ間に前記ファンガードを挟持するように構成してある。簡素な構成により、送風機が大型化することを抑制しつつ前述した効果を得ることができる。
【００２５】
本発明に係る送風機は、前述の発明に記載の固定部材と、前述の発明に記載のイオン発生器とを備えることを特徴とする。
【００２６】
本発明にあっては、前述の発明に記載の固定部材とイオン発生器とを備えているから、送風機能に悪影響を与えることなく、安全性を確保しつつ、害虫防除剤等の拡散物質を放散して蚊等の害虫を駆除することができると共に、プラスイオン及びマイナスイオンを放散して鳥インフルエンザウイルス等のウイルスを死滅又は不活性化することができる。
【発明の効果】
【００２７】
本発明によれば、送風機能に悪影響を与えることなく、安全性を確保しつつ、害虫防除剤等の拡散物質及び／又はイオンを放散することができる。
【図面の簡単な説明】
【００２８】
【図１】実施の形態１に係る扇風機の模式的部分分解図である。
【図２】実施の形態１に係る扇風機の模式的外観図である。
【図３】ファンナットの模式的断面図である。
【図４】イオン発生器の模式的外観斜視図である。
【図５】イオン発生器本体の電極構造の例である。
【図６】イオン発生器本体の回路の例である。
【図７】イオン発生器本体の電極構造の他の例である。
【図８】実施の形態２に係る扇風機の模式的外観図である。
【図９】ファンナットの模式的断面図である
【図１０】ファンナットの他の一例を示す模式的断面図である。
【図１１】ファンナットの他の一例を示す模式的断面図である。
【図１２】ファンナットの他の一例を示す模式的断面図である。
【発明を実施するための形態】
【００２９】
以下、本発明をその実施の形態を示す図面に基づいて、送風機として扇風機を例に詳述する。
（実施の形態１）
図１は、実施の形態１に係る扇風機１０の模式的部分分解図である。図２は、実施の形態１に係る扇風機１０の模式的外観図である。
【００３０】
図において１は、基台であり、該基台１は、床面等に載置され、上面に操作パネル（図示せず）が設けてある。この基台１には、支柱２が立設してある。支柱２の上端部には、モータ３が取付けてある。モータ３は、略円柱形をなすモータ本体３１と、該モータ本体３１の一側から突出する出力軸３２とを備えている。出力軸３２の先端部には、雄螺子部３３が設けてある。さらに、出力軸３２には、先端部から適長離隔した位置に、軸長方向に直交するようにファンボス止ピン３４が内嵌してある。また、モータ本体３１の出力軸３２の側には、該出力軸３２に同心をなして係合円筒３５が設けてある。この係合円筒３５の外周面には、係合部としての雄螺子部３６が形成してある。なお、係合円筒３５の外周面に設けられる係合部は、後述するイオン発生器８の雌螺子部に係合可能であればよく、雄螺子ではなく単に周方向に突設された突起であってもよい。
【００３１】
モータ３の出力軸３２には、該出力軸３２の回転に伴って一体的に回転するファン４が設けてある。ファン４は、モータ３の出力軸３２に外嵌される円筒状のボス部４１と、該ボス部４１に周方向に等配をなして設けられた複数の羽根４２とを備えるプロペラファンである。ファン４は、モータ３の出力軸３２にボス部４１を外嵌した状態にて、円筒状をなす固定部材としてのファンナット５により出力軸３２に固定してある。なお、ボス部４１は、ファンボス止ピン３４により、出力軸３２に対して相対回転しないように回り止めがなされると共に、出力軸３２の軸長方向にモータ３の側に移動しないようにしてある。
【００３２】
図３は、ファンナット５の模式的断面図である。ファンナット５は、拡散物質６をその内部に収納する中空の容器を兼ねており、有底円筒状をなす筐体５０の内部に拡散物質６を収納する収納室５１を有している。ファンナット５の軸長方向の一側には、筐体５０と同心をなして収納室５１の内部に凹ませてなる凹部が設けてあり、該凹部の内面には係合部である雌螺子部５２が形成してある。また、ファンナット５には、収納室５１の内外を連通する複数の連通孔５３が設けてある。このファンナット５を雌螺子部５２にてモータ３の出力軸３２の先端部に形成された雄螺子部３３に螺合することにより、図２に示すように、ファン４がモータ３の出力軸３２に固定される。収納室５１には、図３に示すように、複数の粒子状の拡散物質６が充填してある。拡散物質６は、例えば、害虫防除剤等の薬剤、香料等であり、常温状態にて気化して空気中に拡散する性質を有する。そして、気化した拡散物質６は、ファンナット５に設けた収納室５１の内外を連通する複数の連通孔５３から収納室５１の外部に放散される。
【００３３】
このように取付けられたファン４には、該ファン４を包囲して保護するファンガード７が設けてある。ファンガード７は、ファン４を前側から覆うファンガード前分体７１と、ファン４を後側から覆い、前記ファンガード前分体７１と嵌合するファンガード後分体７２とを備えてなる。
【００３４】
このファンガード７は、固定リングを兼ねるイオン発生器８によりモータ３のモータ本体３１に固定してある。図４は、イオン発生器８の模式的外観斜視図である。イオン発生器８は、肉厚のリング状の外形を有する筐体８０と、該筐体８０の内周面に形成された雌螺子部８１とを有している。また、イオン発生器８の一側には、発生したイオンを放出する複数（図において４つ）の放出孔８２が周方向に等配をなして設けてある。
【００３５】
この筐体８０の内部にはイオン発生器本体が設けてある。図５は、イオン発生器本体の電極構造の例であり、図５（ａ）はイオン発生素子の模式的平面図を、図５（ｂ）はイオン発生素子の模式的側面図を夫々示している。図６は、イオン発生器本体の回路の例である。
【００３６】
図５及び６は、所謂針電極型の電極構造を有するイオン発生器本体９の例を示している。イオン発生器本体９は、図６に示すように、電源入力Ｔ１及び接地入力Ｔ２の間に印加された直流電圧を昇圧する第１の昇圧回路９０ａと、第１の昇圧回路９０ａが昇圧した電圧を更に昇圧する第２の昇圧回路９０ｂと、第２の昇圧回路９０ｂが昇圧した電圧を印加されてイオンを発生させるイオン発生素子９０ｃとを備えている。イオン発生素子９０ｃは、図５に示すように、針電極である放電電極９３，９４と、板電極である誘導電極９１，９２とを備えており、誘導電極９１，９２に設けた貫通孔の内側に該貫通孔と略同心をなして放電電極９３，９４が設けてある。このイオン発生器本体９は、第１の昇圧回路９０ａ及び第２の昇圧回路９０ｂにおいて昇圧された高電圧を、放電電極９３，９４と誘導電極９１，９２との間に印加することにより、放電を生ぜしめるように構成してある。
【００３７】
図７は、イオン発生器本体の電極構造の他の例であり、所謂印刷電極型の電極構造を有するイオン発生器本体９ａの例を示している。図７（ａ）はイオン発生素子の模式的平面図を、図７（ｂ）はイオン発生素子の模式的側面図を夫々示している。イオン発生器本体９ａは、イオン発生器本体９と同様に、イオン発生素子と、該イオン発生素子に高電圧を印加する昇圧回路（図示せず）とを備えている。イオン発生素子は、上部基板上にパターン印刷により形成された放電電極９５と、上部基板と下部基板との間にパターン印刷により形成された誘導電極９６とを備えている。このイオン発生器本体９ａは、昇圧回路において昇圧された高電圧を、放電電極９５と誘導電極９６との間に印加することにより、放電を生ぜしめすように構成してある。なお、これらのイオン発生器本体の電極構造及び回路は、それ自体公知であるので、詳細な説明は省略する。
【００３８】
これらのイオン発生素子は、空気中の水分を放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウイルス等を除去することができる。
【００３９】
このように構成されたイオン発生器本体を筐体８０の内部に有するイオン発生器８とモータ本体３１との間にファンガード７を位置させ、イオン発生器８の放出孔８２のある一側の逆側がモータ３の側になるように、イオン発生器８の雌螺子部８１にモータ本体３１の一側に設けられた雄螺子部３６を螺合する。これにより、図１及び２に示すように、ファンガード７は、モータ本体３１及びイオン発生器８間に挟持されてモータ３に固定されることになる。
【００４０】
以上のように構成された扇風機１０において、運転スイッチをオンにすると、モータ３に電力が供給されてモータ３が回転し、モータ３の出力軸３２が一体的に回転する。この出力軸３２の回転に伴って、出力軸３２にファンナット５によりボス部４１にて固定されたファン４が一体的に回転し、このファン４の回転に伴いファンガード後分体７２からファンガード前分体７１に向けて流れる送風流路が生じる。
【００４１】
また、運転スイッチをオンにすると、ファンガード後分体７２の内側に設けたイオン発生器８にも電力が供給され、イオン発生器本体によりプラスイオン及びマイナスイオンが発生する。発生したプラスイオン及びマイナスイオンは、イオン発生器８の放出孔８２から外部へ放出され、ファン４の回転により生じた送風によってファンガード前分体７１を通過して室内に放散されることになる。
【００４２】
一方、ファンナット５の内部に収納された拡散物質６は、前述した如く、ファンナット５に設けた収納室５１の内外を連通する複数の連通孔５３から収納室５１の外部に放散され、ファン４の回転により生じた送風によってファンガード前分体７１を通過して室内に放散されることになる。
【００４３】
このように、ファンガード後分体７２の内側にモータ３の出力軸３２に同心をなして取付けられたイオン発生器８において発生したプラスイオン及びマイナスイオン、及びファンガード７の内側の出力軸３２に設けられたファンナット５の収納室５１から拡散した害虫防除剤等の拡散物質６がファン４の回転により生じた送風によって室内に放散されることになる。
【００４４】
このように構成された実施の形態１に係る扇風機１０においては、プラスイオン及びマイナスイオンにより鳥インフルエンザウイルス等のウイルス、病原菌を死滅又は不活性化させることによって、ウイルス及び病原菌から人体を守ることができると共に、拡散物質６によりデング熱の媒体となる蚊等の害虫を駆除することができる。
【００４５】
そして、モータ３の出力軸３２に設けられたファンナット５に拡散物質６が保持してあり、出力軸３２に同心をなしてモータ本体３１にイオン発生器８が取付けてあるから、ファン４の回転に伴って生じる送風の邪魔にならず、扇風機１０の送風機能に悪影響を与えることなく、拡散物質６、プラスイオン及びマイナスイオンを放散することができる。また、拡散物質６及び高電圧が印加されるイオン発生器８がファンガード７の内側に設けてあるから、乳幼児等が拡散物質６及びイオン発生器８に触れることを防止することができ、安全性を確保することができる。
【００４６】
また、ファンナット５の拡散物質６を収納する収納室５１の内外を連通する連通孔５３がファンナット５の筐体５０に設けてあるから、拡散物質６を効率良く外部へ放散することができる。
【００４７】
また、イオン発生器８の雌螺子部８１にモータ本体３１の一側に設けられた雄螺子部３６を螺合することにより、ファンガード７をモータ本体３１及びイオン発生器８間に挟持してモータ３に固定するように構成してあり、ファンガード７をモータ３に固定する固定リングをイオン発生器８が兼ねる構成としているから、簡素な構成により、送風機１０が大型化することを抑制することができる。
【００４８】
（実施の形態２）
図８は、実施の形態２に係る扇風機２０の模式的外観図である。実施の形態２に係る扇風機２０は、実施の形態１に係る扇風機１０とファンナットの形状のみが異なっている。図９は、ファンナット５ａの模式的断面図である。
【００４９】
ファンナット５ａは、拡散物質６をその内部に収納する中空の容器を兼ねており、有底円筒状をなす筐体５０の内部に拡散物質６を収納する収納室５１を有している。ファンナット５ａの軸長方向の一側には、筐体５０と同心をなして収納室５１の内部に凹ませてなる凹部が設けてあり、該凹部の内面には係合部である雌螺子部５２ａが形成してある。ファンナット５ａの軸長方向の一側には、凹部の内径と同一内径を有する円筒状の当接突起５４が凹部に同心をなして立設してある。なお、雌螺子部５２ａは当接突起５４の内面にも形成してある。
【００５０】
このファンナット５ａを雌螺子部５２ａにてモータ３の出力軸３２の先端部に形成された雄螺子部３３に螺合することにより、ファン４がモータ３の出力軸３２に固定される。このとき、ファンナット５ａの当接突起５４は、図８に示すように、ファン４のボス部４２に当接する。その他の構成は、図２及び３に示す実施の形態１と同様であるため、対応する構成部材に図２及び３と同一の参照符号を付して、その構成の詳細な説明を省略する。
【００５１】
以上のように構成された実施の形態２に係る扇風機２０においては、ファンナット５ａの収納室５１が当接突起５４の突設長さの分だけファン４と離隔して設けられることになるから、ファンナット５ａのモータ３の側からも拡散物質６を外部へ放散し易くすることができ、拡散物質６を更に効率良く外部へ放散することができる。
【００５２】
ファンナットの形状は、実施の形態１及び２において述べた形状に限定されず、ファンナットの収納室に収納された拡散物質を外部へ放散し易い形状であればよい。図１０は、ファンナットの他の一例を示す模式的断面図である。
【００５３】
ファンナット５ｂは、拡散物質６をその内部に収納する中空の容器を兼ねており、円筒状の外形を有する筐体５０ａの内部に拡散物質６を収納する収納室５１ａを有している。筐体５０ａには、該筐体５０ａに同心をなして、雌螺子部５２の反対側に円筒状の凹部５５が設けてある。この凹部５５の内周面には、収納室５１ａの内外を連通する複数の連通孔５３が設けてある。拡散物質６は、このように同心をなして設けられた円筒及び外筒により形成される円筒状の収納室５１ａの内部に収納してあり、気化した拡散物質６は、ファンナット５ｂの外周面に加えて、凹部５５の内周面から収納室５１ａの外部に拡散されることになる。その他の構成は、図３に示す実施の形態１と同様であるため、対応する構成部材に図３と同一の参照符号を付して、その構成の詳細な説明を省略する。
【００５４】
このように構成されたファンナット５ｂを備える扇風機においては、連通孔５３を筐体５０ａの凹部５５の内面にも設けているから、収納室５１ａに収納された拡散物質６を更に効率良く外部へ放散することができる。
【００５５】
図１１は、ファンナットの他の一例を示す模式的断面図である。図１１に示すファンナット５ｃは、図１０に示すファンナット５ｂに該ファンナット５ｂの軸長方向の一側に当接突起５４を設けた構成である。その他の構成は、図１０に示すファンナットと同様であるため、対応する構成部材に図１０と同一の参照符号を付して、その構成の詳細な説明を省略する。
【００５６】
このように構成されたファンナット５ｃを備える扇風機においては、ファンナット５ｃの収納室５１ａが当接突起５４の突設長さの分だけファン４と離隔して設けられるから、ファンナット５ｃのモータ３の側からの拡散物質６を外部へ放散し易くすることができる。また連通孔５３が筐体５０ａの凹部５５の内面にも設けてあるから、筐体５０ａの凹部５５の内面からも拡散物質６を外部へ放散することができる。この結果、拡散物質６をより一層効率良く外部へ放散することができる。
【００５７】
図１２は、ファンナットの他の一例を示す模式的断面図である。図１２に示すファンナット５ｄは、図１０に示すファンナット５ｂを分離可能なように構成したものである。ファンナット５ｄは、収納室を開閉する蓋部５６と、収納室を形成する筐体本体部５７とを備えている。ファンナット５ｄは、筐体本体部５７の内筒の先端部５７ａに蓋部５６の内筒に設けられた係合円筒５６ａを、筐体本体部５７の外筒の先端部５７ｂに蓋部５６の外筒に設けられた係合円筒５６ｂを夫々係合させることにより、蓋部５６と筐体本体部５７とを着脱可能に一体化してある。その他の構成は、図１０に示すファンナットと同様であるため、対応する構成部材に図１０と同一の参照符号を付して、その構成の詳細な説明を省略する。なお、本実施の形態においては、蓋部５６の内筒及び外筒に、係合円筒５６ａ，５６ｂを設けてあるが、これに限定されず、筐体本体部５７の内筒及び外筒の先端部５７ａ，５７ｂに係合可能な係合部が設けてあればよい。例えば、ファンナット５ｄの軸長方向に突設される突起であってもよい。
【００５８】
このように構成されたファンナット５ｄを備える扇風機においては、モータ３の出力軸３２に係合する係合部である雌螺子部５２の反対側に収納室を開閉する蓋部５６が設けてあるから、ファンガード前分体７１を取外し、蓋部５６を取外すことにより、拡散物質６の追加又は取替を容易に行うことができる。
【００５９】
以上述べたファンナット５，５ａ，５ｂ，５ｃ，５ｄは、モータ３の出力軸３２に螺合により固定してあるから、ファンガード前分体７１を取外し、ファンナット５，５ａ，５ｂ，５ｃ，５ｄを回転させることにより、容易に出力軸３２から取り外すことができる。異なる薬剤又は香料等を充填した複数のファンナットを用意しておくことにより、ファンナットを交換することによって、様々な状況に対応したり、香りを楽しんだりすることが容易にできる。さらにファンナット内部を複数の部屋に分割して、各部屋に薬剤、香料又はブレンドした薬剤香料を入れることによって香りと薬効を同時に得ることができ、各人が好む室内空間の演出をすることができる。
【００６０】
なお、以上の実施の形態においては、ファンナットの外形状を円筒状としてあるが、筒状であればよく、多角柱状でもよい。
【００６１】
また、以上の実施の形態においては、ファンナットの筐体に複数の貫通孔を設けているが、これに限定されず、内部に収納された拡散物質の拡散を妨げない材料製、形状であればよい。例えば、筐体をメッシュ状の材料製にしてもよい。
【００６２】
また、以上の実施の形態においては、イオン発生器８がファンガード７をモータ３に固定する固定リングを兼ねる構成としているが、これに限定されず、単にファンガードと固定リングとによりイオン発生器を挟んで伴締めする構造でも、ファンガードにイオン発生器を直接取り付ける構造でも本願主旨を満たすことは可能である。
【００６３】
また、以上の実施の形態においては、送風機として床面又は卓上に載置可能な扇風機を例に説明したが、天井扇等の他の扇風機、サーキュレータ等の各種の送風機に適用することができる。本発明は、その他、特許請求の範囲に記載した事項の範囲内において種々変更した形態にて実施することが可能であることは言うまでもない。
【符号の説明】
【００６４】
３  モータ
３２  出力軸
３５  係合円筒
３６  雄螺子部（係合部）
４  ファン
４１  ボス部
４２  羽根
５，５ａ，５ｂ，５ｃ，５ｄ  ファンナット（固定部材）
５１，５１ａ  収納室
５２，５２ａ  雌螺子部（係合部）
５６  蓋部
５３  連通孔
５４  当接突起
６  拡散物質
７  ファンガード
８  イオン発生器
８０  筐体
８１  雌螺子部
【図１】
2011001820.tif 000003
【図２】
2011001820.tif 000004
【図３】
2011001820.tif 000005
【図４】
2011001820.tif 000006
【図５】
2011001820.tif 000007
【図６】
2011001820.tif 000008
【図７】
2011001820.tif 000009
【図８】
2011001820.tif 000010
【図９】
2011001820.tif 000011
【図１０】
2011001820.tif 000012
【図１１】
2011001820.tif 000013
【図１２】
2011001820.tif 000014
【手続補正書】
【提出日】平成22年7月6日(2010.7.6)
【手続補正１】
【補正対象書類名】明細書
【補正対象項目名】０００９
【補正方法】変更
【補正の内容】
【０００９】
本発明に係る送風機は、モータと、該モータの出力軸に連結され、前記モータにより回転駆動されるファンと、該ファンを前記モータの出力軸に固定する固定部材とを備える送風機において、前記ファンは、前記出力軸に外嵌されるボス部を有しており、前記固定部材は、前記出力軸に係合して該出力軸に前記ボス部を固定しており、拡散物質を保持することが可能なように構成してあることを特徴とする。
【手続補正２】
【補正対象書類名】明細書
【補正対象項目名】００１０
【補正方法】変更
【補正の内容】
【００１０】
本発明にあっては、モータの出力軸に係合することで、該出力軸に外嵌されるファンのボス部を固定する固定部材を備え、該固定部材に拡散物質を保持することが可能なように構成してある。固定部材は、ファンの回転に伴って生じる送風流路の邪魔にならず、送風機能に悪影響を与えることなく、害虫防除剤等の拡散物質を放散することができる。また、一般に、扇風機等の送風機のファン等の回転部分はファンガード等により包囲してあるから、拡散物質がファンガードの内側に設けられることになり、乳幼児等が触れることを防止することができ、安全性を確保することができる。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明に係る送風機は、前記ファンは、前記ボス部に設けられた複数の羽根を備えるプロペラファンであり、前記固定部材は、筒状をなし、軸長方向の一側に前記出力軸に係合する係合部が設けてあり、前記ボス部に向けて突設され、該ボス部に当接する当接突起を有していることを特徴とする。
【手続補正６】
【補正対象書類名】明細書
【補正対象項目名】００１６
【補正方法】変更
【補正の内容】
【００１６】
本発明にあっては、プロペラファンのボス部に当接する当接突起が固定部材に設けてあるから、固定部材に設けた拡散物質の収納室は、当接突起の突設長さの分だけファンと離隔して設けられることになる。これにより、固定部材のモータの側からも拡散物質を外部へ放散し易くすることができ、拡散物質を更に効率良く外部へ放散することができる。
【手続補正７】
【補正対象書類名】明細書
【補正対象項目名】００１７
【補正方法】変更
【補正の内容】
【００１７】
本発明に係る送風機は、前記固定部材の軸長方向の他側には、前記収納室を開閉する蓋部が着脱可能に設けてあることを特徴とする。
【手続補正８】
【補正対象書類名】明細書
【補正対象項目名】００１９
【補正方法】変更
【補正の内容】
【００１９】
本発明に係る送風機は、前記ファンを包囲して保護するファンガードと、該ファンガードの内側に配してあり、プラスイオン及びマイナスイオンを発生するイオン発生器とを更に備えることを特徴とする。
【手続補正９】
【補正対象書類名】明細書
【補正対象項目名】００２０
【補正方法】変更
【補正の内容】
【００２０】
本発明にあっては、ファンを包囲して保護するファンガードの内側にプラスイオン及びマイナスイオンを発生するイオン発生器が設けてある。高電圧が印加されるイオン発生器をファンガードの内側に設けてあるから、幼児等が触れることを防止することができ、安全性を確保することができる。そして、イオン発生器により発生させたプラスイオン及びマイナスイオンは、ファンの送風によって送風機の設置室内に広く拡散し、鳥インフルエンザウイルス等のウイルスを死滅又は不活性化することができる。
【手続補正１０】
【補正対象書類名】明細書
【補正対象項目名】００２１
【補正方法】変更
【補正の内容】
【００２１】
本発明に係る送風機は、前記イオン発生器は、前記ファンガードを前記モータに固定する固定リングを兼ねており、前記ファンガードの内側で前記モータ及びファン間に配してあることを特徴とする。
【手続補正１１】
【補正対象書類名】明細書
【補正対象項目名】００２２
【補正方法】変更
【補正の内容】
【００２２】
本発明にあっては、イオン発生器は、ファンガードをモータに固定する固定リングを兼ねており、モータとファンガードとの間に配置されているから、ファンの回転に伴って生じる送風流路の邪魔にならず、送風機能に悪影響を与えることがなく、送風機が大型化することを抑制しつつ前述した効果を得ることができる。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】特許請求の範囲
【補正対象項目名】全文
【補正方法】変更
【補正の内容】
【特許請求の範囲】
【請求項１】
モータと、該モータの出力軸に連結され、前記モータにより回転駆動されるファンと、該ファンを前記モータの出力軸に固定する固定部材とを備える送風機において、
前記ファンは、前記出力軸に外嵌されるボス部を有しており、
前記固定部材は、前記出力軸に係合して該出力軸に前記ボス部を固定しており、拡散物質を保持することが可能なように構成してあることを特徴とする送風機。
【請求項２】
前記固定部材は、前記拡散物質を内部に収納する収納室を有しており、前記固定部材には、前記収納室の内外を連通する連通孔が設けてあることを特徴とする請求項１に記載の送風機。
【請求項３】
前記ファンは、前記ボス部に設けられた複数の羽根を備えるプロペラファンであり、
前記固定部材は、筒状をなし、軸長方向の一側に前記出力軸に係合する係合部が設けてあり、前記ボス部に向けて突設され、該ボス部に当接する当接突起を有していることを特徴とする請求項１又は請求項２に記載の送風機。
【請求項４】
前記固定部材の軸長方向の他側には、前記収納室を開閉する蓋部が着脱可能に設けてあることを特徴とする請求項３に記載の送風機。
【請求項５】
前記ファンを包囲して保護するファンガードと、該ファンガードの内側に配してあり、プラスイオン及びマイナスイオンを発生するイオン発生器とを更に備えることを特徴とする請求項１から４のいずれか１つに記載の送風機。
【請求項６】
前記イオン発生器は、前記ファンガードを前記モータに固定する固定リングを兼ねており、前記ファンガードの内側で前記モータとファンとの間に配してあることを特徴とする請求項５に記載の送風機。
【請求項７】
前記イオン発生器は、その一部に雌螺子部を有する筐体を備えており、前記モータは、前記出力軸の側に該出力軸に同心をなして設けられ、その外周面に前記雌螺子部が係合する係合部を有する係合円筒を備えており、
前記イオン発生器及びモータ間に前記ファンガードを挟持するように構成してあることを特徴とする請求項６に記載の送風機。
【手続補正書】
【提出日】平成22年11月15日(2010.11.15)
【手続補正１】
【補正対象書類名】明細書
【補正対象項目名】０００１
【補正方法】変更
【補正の内容】
【０００１】
本発明は、イオンを放散することが可能なように構成された送風機に関する。
【手続補正２】
【補正対象書類名】明細書
【補正対象項目名】０００８
【補正方法】変更
【補正の内容】
【０００８】
本発明は斯かる事情に鑑みてなされたものであり、ウイルス及び細菌の除去作用をなすプラスイオン及びマイナスイオンを、送風機能に悪影響を与えることなく、安全性を確保しつつ放散することが可能なように構成された送風機を提供することを目的とする。
【手続補正３】
【補正対象書類名】明細書
【補正対象項目名】０００９
【補正方法】変更
【補正の内容】
【０００９】
本発明に係る送風機は、モータと、該モータの出力軸に連結され、前記モータにより回転駆動されるファンと、該ファンを前記モータの出力軸に固定する固定部材とを備える送風機において、前記ファンを包囲して保護するファンガードと、プラスイオン及びマイナスイオンを発生するイオン発生器とを更に備え、該イオン発生器は、前記ファンガードを前記モータに固定する固定リングを兼ねており、前記ファンガードの内側で前記モータ及びファンの間に配してあることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
本発明にあっては、ファンを包囲して保護するファンガードの内側にプラスイオン及びマイナスイオンを発生するイオン発生器が、ファンガードをモータに固定する固定リングを兼ねて設けてある。高電圧が印加されるイオン発生器は、ファンガードの内側に位置するから、幼児等が触れることを防止することができ、安全性を確保することができる。またイオン発生器は、ファンガードをモータに固定するために本来必要な固定リングを兼ねており、ファンの回転に伴って生じる送風流路の邪魔にならず、送風機能に悪影響を与えることがない。イオン発生器が発生するプラスイオン及びマイナスイオンは、ファンの送風によって送風機の設置室内に広く拡散し、鳥インフルエンザウイルス等のウイルス及び細菌を死滅又は不活性化する。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２７
【補正方法】変更
【補正の内容】
【００２７】
本発明によれば、送風機能に悪影響を与えることなく、安全性を確保しつつ、プラスイオン及びマイナスイオンを設置室内に放散することができ、室内に浮遊する各種ウイルス及び細菌を死滅又は不活性化させて室内環境を良好に保つことができる。イオン発生器を兼ねる固定リングは、ファンガードをモータに固定するために本来必要な部品であり、部品点数の増加、装置の大型化も抑制できる。
【手続補正１６】
【補正対象書類名】明細書
【補正対象項目名】００６２
【補正方法】削除
【補正の内容】
【手続補正１７】
【補正対象書類名】特許請求の範囲
【補正対象項目名】全文
【補正方法】変更
【補正の内容】
【特許請求の範囲】
【請求項１】
モータと、該モータの出力軸に連結され、前記モータにより回転駆動されるファンと、該ファンを前記モータの出力軸に固定する固定部材とを備える送風機において、
前記ファンを包囲して保護するファンガードと、
プラスイオン及びマイナスイオンを発生するイオン発生器とを更に備え、
該イオン発生器は、前記ファンガードを前記モータに固定する固定リングを兼ねており、前記ファンガードの内側で前記モータ及びファンの間に配してあることを特徴とする送風機。
【請求項２】
前記イオン発生器は、その一部に雌螺子部を有する筐体を備えており、前記モータは、前記出力軸の側に該出力軸に同心をなして設けられ、その外周面に前記雌螺子部が係合する係合部を有する係合円筒を備えており、
前記イオン発生器及びモータ間に前記ファンガードを挟持するように構成してあることを特徴とする請求項１に記載の送風機。